(57)【要約】【課題】集積された媒体を一括でコネクタに接続することができるコネクタ、媒体とコネクタの接続構造、及び画像表示装置を得る。【解決手段】コネクタ１４は、電子ペーパー１２に設けられたリング電極４３に係合される棒部材３０を有している。棒部材３０には、長さ方向に相互に絶縁された状態で配列された個別電極３４が設けられている。また、棒部材３０には、長さ方向に沿って個別電極３４と絶縁された状態で共通電極３６が設けられている。ここで、集積した電子ペーパー１２のリング電極４３を一致させて、コネクタ１４の棒部材３０をリング電極４３に係合させると、信号入力用電極４６と個別電極３４が接触し、電力供給用電極４４と共通電極３６が接触して、電子ペーパー１２とコネクタ１４が接続される。これにより、集積された電子ペーパー１２を一括でコネクタ１４に接続することができる。【選択図】図３
2009070619.tif 000002
【特許請求の範囲】
【請求項１】
電力及び信号が供給されて作動する媒体に設けられた係合部に係合される棒部材と、
前記棒部材の長さ方向に相互に絶縁された状態で配列され、前記係合部に形成された信号受部に前記信号を供給する個別端子と、
前記棒部材の長さ方向に沿って前記個別端子と絶縁された状態で設けられ、前記係合部に形成された電力供給部に電力を供給する共通端子と、
を有することを特徴とするコネクタ。
【請求項２】
前記棒部材には、前記係合部に形成された接地部と接触する接地端子を設けたことを特徴とする請求項１に記載のコネクタ。
【請求項３】
前記棒部材は、台座に立設されていることを特徴とする請求項１又は請求項２に記載のコネクタ。
【請求項４】
前記台座に、前記媒体の端部が接触して揃えられる支持壁が立設されたことを特徴とする請求項３に記載のコネクタ。
【請求項５】
前記棒部材は、前記係合部として前記媒体に形成された穴部に挿通されることを特徴とする請求項１から請求項４のいずれか１項に記載のコネクタ。
【請求項６】
前記棒部材は、先端側に向かって先細りの形状であることを特徴とする請求項５に記載のコネクタ。
【請求項７】
前記棒部材の断面形状が、前記穴部の形状に合わせて、非正円状の断面形状であることを特徴とする請求項５又は請求項６に記載のコネクタ。
【請求項８】
前記個別端子の前記長さ方向の高さが、前記媒体の厚さと略等しいことを特徴とする請求項１から請求項７のいずれか１項に記載のコネクタ。
【請求項９】
前記信号受部と前記個別端子、前記電力供給部と前記共通端子のいずれか１組、又は両方の組が金属電極で形成され、前記信号受部と前記個別端子、前記電力供給部と前記共通端子が接触することを特徴とする請求項１から請求項８のいずれか１項に記載のコネクタ。
【請求項１０】
前記電力が、前記電力供給部と前記共通端子の電磁誘導結合によって前記共通端子から供給されることを特徴とする請求項１から請求項９のいずれか１項に記載のコネクタ。
【請求項１１】
前記信号が光信号であり、前記信号受部が前記光信号を受光する受光部を有し、前記個別端子が前記受光部へ前記光信号を発光する発光部を有することを特徴とする請求項１〜請求項１０のいずれか１項に記載のコネクタ。
【請求項１２】
請求項５から請求項１１のいずれか１項に記載のコネクタの前記棒部材と前記媒体の前記穴部を接続する媒体とコネクタの接続構造において、
前記穴部に設けられた前記電力供給部、前記信号受部の少なくとも１つ、又は前記穴部の穴壁に凸部又は凹部が形成され、
前記棒部材の側面に設けられた前記共通端子、前記個別端子の少なくとも１つ、又は前記側面に、前記凸部又は前記凹部と係合する被係合部が形成されたことを特徴とする媒体とコネクタの接続構造。
【請求項１３】
前記穴部の穴壁に凸部が形成され、
前記棒部材の側面には、前記長さ方向に沿って形成され、前記凸部と係合する溝が設けられたことを特徴とする請求項１２に記載の媒体とコネクタの接続構造。
【請求項１４】
前記信号受部に前記凸部が形成され、
前記被係合部が、前記個別端子それぞれに形成され、前記凸部と係合する溝部であることを特徴とする請求項１２に記載の媒体とコネクタの接続構造。
【請求項１５】
請求項５、６、８のいずれか１項に記載のコネクタの前記棒部材と前記媒体を接続する媒体とコネクタの接続構造において、
前記穴部に設けられた前記電力供給部、前記信号受部の少なくとも１つ、又は前記穴部の穴壁に凸部が形成され、
前記棒部材が円柱状に形成されると共に、前記共通端子、前記個別端子の少なくとも１つ、又は前記棒部材の側面に、前記凸部と係合する円弧状溝が形成されたことを特徴とする媒体とコネクタの接続構造。
【請求項１６】
請求項１から請求項１１のいずれか１項に記載のコネクタと、
前記媒体が、前記信号受部に入力された画像情報信号によって発光して画像が表示される表示部を有する表示媒体と、
前記コネクタを介して前記表示媒体に画像情報信号を出力する信号出力部と、
を有することを特徴とする画像表示装置。
【請求項１７】
請求項１２から請求項１５のいずれか１項に記載の媒体とコネクタの接続構造と、
前記媒体が、前記信号端子に入力された画像情報信号によって発光して画像が表示される表示部を有する表示媒体と、
を有することを特徴とする画像表示装置。
【発明の詳細な説明】
【技術分野】
【０００１】
本発明は、コネクタ、媒体とコネクタの接続構造、及び画像表示装置に関する。
【背景技術】
【０００２】
電子ペーパーや電子回路基板等の媒体は、コネクタを介して各種装置に接続され、電力及び信号が供給されて作動するようになっている。
【０００３】
媒体が複数あるときには、複数のコネクタが設けられ、それぞれの媒体が、対応するそれぞれのコネクタに個別に接続される（例えば、特許文献１参照）。
【０００４】
特許文献１の電子ペーパーファイルは、複数枚の電子ペーパーのそれぞれに設けられた接続端子を、ファイルに設けられた複数の接続端子に個別に接続して動作させるようになっている。
【特許文献１】特開２００１−３１２２２７号公報
【発明の開示】
【発明が解決しようとする課題】
【０００５】
本発明は、集積された媒体を一括でコネクタに接続することができるコネクタ、媒体とコネクタの接続構造、及び画像表示装置を得ることを目的とする。
【課題を解決するための手段】
【０００６】
本発明の請求項１に係るコネクタは、電力及び信号が供給されて作動する媒体に設けられた係合部に係合される棒部材と、前記棒部材の長さ方向に相互に絶縁された状態で配列され、前記係合部に形成された信号受部に前記信号を供給する個別端子と、前記棒部材の長さ方向に沿って前記個別端子と絶縁された状態で設けられ、前記係合部に形成された電力供給部に電力を供給する共通端子と、を有することを特徴としている。
【０００７】
上記構成によれば、コネクタは、電力及び信号が供給されて作動する媒体に設けられた係合部に係合される棒部材を有している。
【０００８】
棒部材には、長さ方向に相互に絶縁された状態で配列され、係合部に形成された信号受部に信号を供給する個別端子が設けられている。
【０００９】
また、棒部材には、長さ方向に沿って個別端子と絶縁された状態で設けられ、係合部に形成された電力供給部に電力を供給する共通端子が設けられている。
【００１０】
ここで、集積した媒体の係合部を一致させて、コネクタの棒部材を係合部に係合させると、信号受部と個別端子が接触し、また、電力供給部と共通端子が接触して媒体とコネクタが接続されるので、個々の媒体をそれぞれコネクタに接続する必要がなくなり、集積された媒体を一括でコネクタに接続することができる。
【００１１】
本発明の請求項２に係るコネクタは、前記棒部材には、前記係合部に形成された接地部と接触する接地端子を設けたことを特徴としている。
【００１２】
上記構成によれば、棒部材には、係合部に形成された接地部と接触する接地端子が設けられている。
【００１３】
ここで、接地端子が、係合部に形成された接地部と接触することにより、媒体の静電気を除去することができる。また、媒体に供給される電力の基準が接地レベルとなるので、媒体に供給される電力を基準電圧を設定して管理する必要が無くなる。
【００１４】
本発明の請求項３に係るコネクタは、前記棒部材は、台座に立設されていることを特徴としている。
【００１５】
上記構成によれば、台座が棒部材を立設させることにより、集積した媒体の係合部を棒部材へ差し込むことができる。
【００１６】
本発明の請求項４に係るコネクタは、前記台座に、前記媒体の端部が接触して揃えられる支持壁が立設されたことを特徴としている。
【００１７】
上記構成によれば、集積された媒体の端部が、台座に立設された支持壁に接触して揃えられる。これにより、集積された個々の媒体のずれが抑えられ、媒体とコネクタの接触位置ずれが抑えられる。
【００１８】
本発明の請求項５に係るコネクタは、前記棒部材は、前記係合部として前記媒体に形成された穴部に挿通されることを特徴としている。
【００１９】
上記構成によれば、棒部材を、媒体の穴部に挿通するだけで、媒体とコネクタを接続できるので、特に集積された複数の媒体への接続作業が容易となる。
【００２０】
本発明の請求項６に係るコネクタは、前記棒部材は、先端側に向かって先細りの形状であることを特徴としている。
【００２１】
上記構成によれば、棒部材は、例えば円錐状又は角錐状のように、先端側に向かって先細りの形状となっているので、棒部材を集積された媒体の穴部に挿通し易くなり、集積された複数の媒体への接続作業が容易となる。
【００２２】
本発明の請求項７に係るコネクタは、前記棒部材の断面形状が、前記穴部の形状に合わせて、非正円状の断面形状であることを特徴としている。
【００２３】
上記構成によれば、棒部材を中心として各媒体を回転させる力が作用しても、媒体の穴部に挿通される棒部材の断面形状が、非正円状の断面形状であるため、回転移動が規制される。
【００２４】
これにより、集積された個々の媒体のずれが抑えられ、媒体とコネクタの接触位置ずれが抑えられる。
【００２５】
本発明の請求項８に係るコネクタは、前記個別端子の前記長さ方向の高さが、前記媒体の厚さと略等しいことを特徴としている。
【００２６】
上記構成によれば、個別端子の長さ方向の高さが媒体の厚さと略等しいので、媒体を集積して棒部材に差し込むときに、個々の媒体の高さ位置を調整しなくても、電力供給部と共通端子が接触され、信号受部と個別端子が接触される。これにより、コネクタへの媒体の接続作業が容易となる。
【００２７】
本発明の請求項９に係るコネクタは、前記信号受部と前記個別端子、前記電力供給部と前記共通端子のいずれか１組、又は両方の組が金属電極で形成され、前記信号受部と前記個別端子、前記電力供給部と前記共通端子が接触することを特徴としている。
【００２８】
上記構成によれば、金属電極同士の接触により信号受部と個別端子、電力供給部と共通端子が電気的に接続されるので、媒体への電力供給、信号の伝達が遮断されにくくなる。
【００２９】
本発明の請求項１０に係るコネクタは、前記電力が、前記電力供給部と前記共通端子の電磁誘導結合によって前記共通端子から供給されることを特徴としている。
【００３０】
上記構成によれば、媒体の電力供給部と棒部材の共通端子が僅かにずれて非接触状態となっても、電磁誘導結合によって電力供給部に電力が供給されるので、媒体への電力供給が遮断されにくくなる。
【００３１】
本発明の請求項１１に係るコネクタは、前記信号が光信号であり、前記信号受部が前記光信号を受光する受光部を有し、前記個別端子が前記受光部へ前記光信号を発光する発光部を有することを特徴としている。
【００３２】
上記構成によれば、媒体の信号受部と棒部材の個別端子が僅かにずれて非接触状態となっても、信号が光信号のため、個別端子の発光部から発光された光信号が空気中を伝播し、信号受部の受光部で受光される。これにより、信号の伝達が遮断されにくくなる。
【００３３】
本発明の請求項１２に係る媒体とコネクタの接続構造は、請求項５から請求項１１のいずれか１項に記載のコネクタの前記棒部材と前記媒体の前記穴部を接続する媒体とコネクタの接続構造において、前記穴部に設けられた前記電力供給部、前記信号受部の少なくとも１つ、又は前記穴部の穴壁に凸部又は凹部が形成され、前記棒部材の側面に設けられた前記共通端子、前記個別端子の少なくとも１つ、又は前記側面に、前記凸部又は前記凹部と係合する被係合部が形成されたことを特徴としている。
【００３４】
上記構成によれば、媒体の穴部に設けられた、電力供給部、信号受部の少なくとも１つ、又は穴部の穴壁に凸部又は凹部が形成されている。
【００３５】
また、棒部材の側面に設けられた共通端子、個別端子の少なくとも１つ、又は側面に、凸部又は凹部と係合する被係合部が形成されている。
【００３６】
ここで、棒部材に側面に設けられた被係合部と、媒体の穴部に設けられた凸部又は凹部とが係合することにより、媒体の回転移動が規制される。
【００３７】
これにより、集積された個々の媒体のずれが抑えられ、媒体とコネクタの接触位置ずれが抑えられる。
【００３８】
本発明の請求項１３に係る媒体とコネクタの接続構造は、前記穴部の穴壁に凸部が形成され、前記棒部材の側面には、前記長さ方向に沿って形成され、前記凸部と係合する溝が設けられたことを特徴としている。
【００３９】
上記構成によれば、棒部材の側面に、穴部の穴壁に形成された凸部と係合する溝を形成し、凸部と溝を係合することにより、集積された個々の媒体のずれが抑えられ、媒体とコネクタの接触位置ずれが抑えられる。
【００４０】
本発明の請求項１４に係る媒体とコネクタの接続構造は、前記信号受部に前記凸部が形成され、前記被係合部が、前記個別端子それぞれに形成され、前記凸部と係合する溝部であることを特徴としている。
【００４１】
上記構成によれば、媒体を集積して棒部材に差し込むときに、信号受部に形成された凸部と、個別端子それぞれに形成された溝部が係合する。
【００４２】
これにより、個々の媒体の高さ位置を調整しなくても、棒部材の長さ方向における媒体の位置ずれが抑えられる。
【００４３】
本発明の請求項１５に係る媒体とコネクタの接続構造は、請求項５、６、８のいずれか１項に記載のコネクタの前記棒部材と前記媒体を接続する媒体とコネクタの接続構造において、前記穴部に設けられた前記電力供給部、前記信号受部の少なくとも１つ、又は前記穴部の穴壁に凸部が形成され、前記棒部材が円柱状に形成されると共に、前記共通端子、前記個別端子の少なくとも１つ、又は前記棒部材の側面に、前記凸部と係合する円弧状溝が形成されたことを特徴としている。
【００４４】
上記構成によれば、電力供給部、信号受部の少なくとも１つ、又は穴部の穴壁に形成された凸部は、共通端子、個別端子の少なくとも１つ、又は円柱状に形成された棒部材の側面に形成された円弧状溝と係合する。これにより、棒部材の長さ方向における媒体の位置ずれが抑えられる。
【００４５】
また、円弧状溝に沿って凸部が移動可能となるので、集積された媒体における上側の媒体を、棒部材を中心として回転移動させて、下側の媒体の表示を見ることができる。これにより、特にリジッドな媒体を用いる場合は、上側の媒体をめくらなくてもよく、媒体に余計な負荷を与えずに済む。
【００４６】
本発明の請求項１６に係る画像表示装置は、請求項１から請求項１１のいずれか１項に記載のコネクタと、前記媒体が、前記信号受部に入力された画像情報信号によって発光して画像が表示される表示部を有する表示媒体と、前記コネクタを介して前記表示媒体に画像情報信号を出力する信号出力部と、を有することを特徴としている。
【００４７】
上記構成によれば、表示媒体とコネクタを接続するとき、表示媒体が集積されると共に、電力供給部と共通端子が接触され、また、信号受部と個別端子が接触されて、表示媒体とコネクタが接続される。そして、信号出力部が、コネクタを介して、表示媒体に画像情報信号を出力する。
【００４８】
このように、個々の表示媒体をそれぞれコネクタに接続する必要がなくなり、集積された表示媒体を一括でコネクタに接続することができるので、画像表示装置の取り扱いが容易となる。
【００４９】
本発明の請求項１７に係る画像表示装置は、請求項１２から請求項１５のいずれか１項に記載の媒体とコネクタの接続構造と、前記媒体が、前記信号端子に入力された画像情報信号によって発光して画像が表示される表示部を有する表示媒体と、を有することを特徴としている。
【００５０】
上記構成によれば、集積された個々の表示媒体と、コネクタとの接触位置ずれが抑えられるので、画像情報信号の送受信時の変動が抑えられ、表示媒体の表示部に表示される画像の画質変動を抑えられる。
【発明の効果】
【００５１】
請求項１の発明は、集積された媒体を一括でコネクタに接続することができる。
【００５２】
請求項２の発明は、本構成を有していない場合に比較して、媒体の静電気を除去することができる。
【００５３】
請求項３の発明は、集積した媒体の係合部を棒部材へ差し込むことができる。
【００５４】
請求項４の発明は、本構成を有していない場合に比較して、媒体とコネクタの接触位置ずれが抑えられる。
【００５５】
請求項５の発明は、本構成を有していない場合に比較して、集積された複数の媒体への接続作業が容易となる。
【００５６】
請求項６の発明は、本構成を有していない場合に比較して、棒部材を集積された媒体の穴部に挿通し易くなり、集積された複数の媒体への接続作業が容易となる。
【００５７】
請求項７の発明は、本構成を有していない場合に比較して、媒体とコネクタの接触位置ずれが抑えられる。
【００５８】
請求項８の発明は、本構成を有していない場合に比較して、コネクタへの媒体の接続作業が容易となる。
【００５９】
請求項９の発明は、本構成を有していない場合に比較して、媒体への電力供給、信号の伝達が遮断されにくくなる。
【００６０】
請求項１０の発明は、本構成を有していない場合に比較して、媒体への電力供給が遮断されにくくなる。
【００６１】
請求項１１の発明は、本構成を有していない場合に比較して、信号の伝達が遮断されにくくなる。
【００６２】
請求項１２の発明は、本構成を有していない場合に比較して、媒体とコネクタの接触位置ずれが抑えられる。
【００６３】
請求項１３の発明は、本構成を有していない場合に比較して、媒体とコネクタの接触位置ずれが抑えられる。
【００６４】
請求項１４の発明は、棒部材の長さ方向における媒体の位置ずれが抑えられる。
【００６５】
請求項１５の発明は、棒部材の長さ方向における媒体の位置ずれが抑えられる。
【００６６】
請求項１６の発明は、本構成を有していない場合に比較して、画像表示装置の取り扱いが容易となる。
【００６７】
請求項１７の発明は、本構成を有していない場合に比較して、表示媒体の表示部に表示される画像の画質変動を抑えられる。
【発明を実施するための最良の形態】
【００６８】
本発明のコネクタ、媒体とコネクタの接続構造、及び画像表示装置の第１実施形態を図面に基づき説明する。
【００６９】
図１（ａ）及び図２（ａ）には、本発明の画像表示装置１０が示されている。
【００７０】
画像表示装置１０は、表示媒体としての電子ペーパー１２と、電子ペーパー１２が接続されるコネクタ１４と、電子ペーパー１２に絵又は文字等からなる画像情報信号を出力する出力部としてのパーソナルコンピュータ（ＰＣ）１６とで構成されている。
【００７１】
図１（ａ）に示すように、ＰＣ１６は、ＰＣ１６の各部の動作制御を行うＣＰＵ１８と、ＰＣ１６の動作プログラムが記憶されたＲＯＭ（図示せず）及び各種画像情報が一時的に記憶されるＲＡＭ（図示せず）からなるメモリ２０と、電子ペーパー１２に電力を供給する電源２２と、ＣＰＵ１８で動作制御されるコントローラ２４と、を有している。
【００７２】
また、ＰＣ１６には、図示しないハードディスクドライブ（ＨＤＤ）が搭載されており、電子ペーパーに表示される画像情報及び画像情報の管理情報が記憶されるようになっている。
【００７３】
コネクタ１４とコントローラ２４は、コネクタ１４に画像情報信号を伝達させる信号線２６で電気的に接続されている。また、コネクタ１４と電源２２は、電力供給のための電源線２８で電気的に接続されている。なお、信号線２６は、複数の電子ペーパー１２のそれぞれに画像情報信号を伝達させる複数の個別信号線（図示せず）を束ねたものである。
【００７４】
図１（ａ）及び図１（ｂ）に示すように、コネクタ１４は、非正円状で楕円形の断面（断面Ａ−Ａ‘）を有する絶縁体からなる棒部材３０と、絶縁性の仕切部材３２で相互に絶縁された状態で棒部材３０の長さ方向に配列された銅等の金属電極からなる個別電極３４と、棒部材３０の長さ方向に沿って仕切部材３２で個別電極３４と絶縁された状態で設けられた銅等の金属電極からなる共通電極３６とで構成されている。
【００７５】
なお、個別電極３４は、一例として３４ａ、３４ｂ、３４ｃを含む複数箇所に区分した状態を示しているが、個別電極３４の数は、接続される電子ペーパー１２の枚数に合わせて１箇所又は複数箇所に適宜設定される。
【００７６】
個別電極３４の高さＨは、各個別電極３４（３４ａ〜３４ｃ含む）で等しく、電子ペーパー１２の厚さと略等しくなっている。これにより、複数の電子ペーパー１２が積層され束ねられた状態でコネクタ１４と係合したとき、個々の電子ペーパー１２と各個別電極３４が１対１で接続されるようになっている。
【００７７】
棒部材３０の断面中央には、棒部材３０の長さ方向に沿って筒状の穴部３８、４０が形成されている。穴部３８の一部には、各個別電極３４の背面側に向けてそれぞれ穴部３９が形成されており、穴部４０の一部には、共通電極３６の背面側に向けて穴部４１が形成されている。
【００７８】
ここで、穴部３８、３９に信号線２６が挿通され各個別電極３４に接続されている。また、穴部４０、４１に電源線２８が挿通され共通電極３６に接続されている。
【００７９】
図２（ａ）及び図２（ｂ）に示すように、電子ペーパー１２は、透明のＰＥＴ（ポリエチレンテレフタレート）フィルムで構成され、厚さ（紙面奥行き方向の厚さ）が前述の個別端子３４の高さＨと略等しい基材１３を有している。
【００８０】
基材１３の略中央には、画像情報を表示するための表示部５６が設けられている。また、基材１３の隅部近傍（左上側）には、貫通穴４２を有する係合部としてのリング電極４３が設けられている。
【００８１】
貫通穴４２は、コネクタ１４が挿通されたときに、貫通穴４２の穴壁とコネクタ１４の側面（個別電極３４、共通電極３６）が接触する大きさの内径となっている。
【００８２】
リング電極４３は、環状で銅等の金属電極からなる導電性部材で構成されている。また、リング電極４３は、周方向において、絶縁性を有する仕切部材４５によって電力供給用電極４４と信号入力用電極４６に分割されている。
【００８３】
なお、リング電極４３は、貫通穴４２の穴壁を除いて基材１３に覆われており、電子ペーパー１２を集積したときに、上下に配置されるリング電極４３同士が接触しないようになっている。
【００８４】
信号入力用電極４６は、タイミングコントローラ５０に接続されており、電力供給用電極４４は、レギュレータ４８に接続されている。
【００８５】
タイミングコントローラ５０は、ＦＰＧＡ（Field Programmable Gate Array）やＡＳＩＣ（Application Specific Integrated Circuit）等で構成されている。また、タイミングコントローラ５０は、シリアル／パラレル変換機能を有し、画像データを受け取ってパラレルデータに変換するように構成されている。
【００８６】
タイミングコントローラ５０は、さらに、表示部５６を駆動して画像表示するための複数のＸドライバ５２と、複数のＹドライバ５４に接続されている。Ｘドライバ５２及びＹドライバ５４は、前述のコントローラ２４（図１（ａ）参照）によって駆動制御される。
【００８７】
レギュレータ４８は、電力供給用電極４４から供給された電圧（電力）を所定の電源電圧に変換するようになっている。また、レギュレータ４８は、タイミングコントローラ５０、Ｘドライバ５２、Ｙドライバ５４に接続されており、これらに電源電圧を供給するようになっている。
【００８８】
一方、表示部５６は、メモリ性を有する材料を、図示しない透明電極からなる複数のＸ電極と複数のＹ電極で挟んだ構造となっている。複数のＸ電極は信号線に相当し、複数のＹ電極は走査線に相当する。ここでは、メモリ性を有する材料の一例として、電子粉流体（登録商標：第４６３６９３１号：株式会社ブリヂストン）を用いている。
【００８９】
表示部５６の複数のＸ電極にはＸドライバ５２が接続されており、複数のＹ電極にはＹドライバ５４が接続されている。
【００９０】
Ｙドライバ５４は、タイミングコントローラ５０から送られた信号を用いて複数の走査線を駆動し、Ｘドライバ５２は、各走査線が駆動される間に複数の信号線を駆動する、いわゆるパッシブマトリクス駆動をするようになっている。これにより、Ｘ電極、Ｙ電極で挟まれた表示画素（図示せず）は、信号線及び走査線間の電圧に応じた輝度で発光して、表示部５６に画像が表示されるようになっている。
【００９１】
ここで、ＰＣ１６から電子ペーパー１２までの画像情報信号の流れについて説明する。なお、電子ペーパー１２とコネクタ１４は予め接続されているものとする。
【００９２】
図１（ａ）及び図２（ａ）に示すように、まず、ＰＣ１６にて、電子ペーパー１２用に画像データが作成され、メモリ２０に記憶される。画像データは、各電子ペーパー１２に合わせて独立したデータ群からなり、それぞれ画像情報信号としてのシリアルデータに変換されている。
【００９３】
続いて、ＣＰＵ１８がコントローラ２４を動作させ、各電子ペーパー１２の各タイミングコントローラ５０に、シリアルデータを送信する。
【００９４】
なお、シリアルデータの送信と同時に、ＰＣ１６の電源２２から各電子ペーパー１２のレギュレータ４８に電圧（電力）が供給される。
【００９５】
続いて、タイミングコントローラ５０は、シリアルデータを受け取り、Ｘドライバ５２、Ｙドライバ５４に適したパラレルデータに変換する。
【００９６】
続いて、レギュレータ４８は、送られてきた電圧を所定の電源電圧に変換する。ここで、電源電圧は１系統なので、この電源電圧を、基準となる基準電圧Ｖｇと、ロジック（Ｘドライバ５２、Ｙドライバ５４）駆動用の電圧Ｖｄｄと、電子ペーパー１２駆動用のデータ電圧Ｖｈ（Ｖｈ１、Ｖｈ２、Ｖｈ３・・・）の３種類の電圧に変換する。
【００９７】
続いて、タイミングコントローラ５０は、変換されたパラレルデータをＸドライバ５２及びＹドライバ５４に送る。また、タイミングコントローラ５０は、Ｘドライバ５２、Ｙドライバ５４に向けて同期信号を発生する．
続いて、この同期信号を受けたＹドライバ５４は、走査線としての前述のＹ電極（図示せず）を順次選択して、電子ペーパー１２駆動用の電圧Ｖｈ１を印加する。
【００９８】
一方、Ｘドライバ５２は、Ｙドライバ５４が選択したＹ電極に合わせて、電子ペーパー１２駆動用のデータ電圧Ｖｈ２、Ｖｈ３、Ｖｈ４・・・を前述のＸ電極に印加する。
【００９９】
Ｘ電極、Ｙ電極で挟まれた表示画素（図示せず）は、電圧に応じた輝度で発光する。これにより、表示部５６に画像が表示される。
【０１００】
次に、本発明の第１実施形態の作用について説明する。
【０１０１】
図３（ａ）に示すように、まず、各電子ペーパー１２ａ、１２ｂ、１２ｃのリング電極４３（貫通穴４２）の位置を一致させて、各電子ペーパー１２ａ〜１２ｃを集積する。そして、集積した各電子ペーパー１２ａ〜１２ｃの束を机５８上に載置する。
【０１０２】
続いて、信号入力用電極４６側に個別電極３４、電力供給用電極４４側に共通電極３６が向くように配置して、コネクタ１４を矢印Ｚ方向に移動させ、貫通穴４２にコネクタ１４を挿通させる。
【０１０３】
これにより、図３（ｂ）に示すように、棒部材３０がリング電極４３と係合し、信号入力用電極４６ａ、４６ｂ、４６ｃと個別電極３４ａ、３４ｂ、３４ｃが接触し、また、電力供給用電極４４ａ、４４ｂ、４４ｃと共通電極３６が接触する。
【０１０４】
このように、画像表示装置１０における電子ペーパー１２とコネクタ１４の接続では、個々の電子ペーパー１２を各コネクタ１４に接続する必要がなくなり、集積された電子ペーパー１２は一括でコネクタ１４に接続される。
【０１０５】
また、電子ペーパー１２とコネクタ１４の接続時において、棒部材３０を中心として各電子ペーパー１２を回転させる力が作用しても、電子ペーパー１２の貫通穴４２に挿通される棒部材３０の断面形状が楕円形のため、電子ペーパー１２の回転移動が規制される。
【０１０６】
さらに、個別電極３４の高さＨが電子ペーパー１２の厚さと略等しいので、電子ペーパー１２を集積して棒部材３０を差し込むときに、個々の電子ペーパー１２の高さ位置を調整しなくても、電力供給用電極４４と共通電極３６が接触され、信号入力用電極４６と個別電極３４が接触される。
【０１０７】
続いて、図１（ａ）及び図２（ａ）に示すように、ＣＰＵ１８がコントローラ２４を動作させ、各電子ペーパー１２の各タイミングコントローラ５０に、信号入力用電極４６及び個別電極３４を介してシリアルデータを送信する。シリアルデータの送信と同時に、ＰＣ１６の電源２２から電力供給用電極４４及び共通電極３６を介して各電子ペーパー１２のレギュレータ４８に電圧（電力）が供給される。
【０１０８】
続いて、タイミングコントローラ５０は、シリアルデータをパラレルデータに変換して、Ｘドライバ５２及びＹドライバ５４に送る。レギュレータ４８は、送られてきた電圧を所定の電源電圧に変換する。
【０１０９】
続いて、Ｘドライバ５２及びＹドライバ５４によって表示部５６が作動し、電子ペーパー１２に画像が表示される。
【０１１０】
なお、棒部材３０の断面形状は楕円形に限らず、三角形、又は多角形であってもよい。
【０１１１】
図４（ａ）は、他の実施例として、コネクタ１４が、断面形状が三角形の棒部材６０を有し、電子ペーパー１２が三角形の電極６２を有する状態を示している。さらに、他の実施例として、コネクタ１４が、断面形状が四角形の棒部材６４を有し、電子ペーパー１２が四角形の電極６４を有する状態を示している。
【０１１２】
また、電子ペーパー１２の係合部であるリング電極４３の形状は、円に限らず、半円や円の一部を切り欠いたものであってもよい。
【０１１３】
図４（ｂ）は、電子ペーパー１２と同様の材質からなる電子ペーパー７０の隅部近傍に、略半円状の切り欠きを形成し、略半円状のリング電極７２を取付けて係合部とした状態を示している。リング電極７２は、絶縁体からなる仕切部材７８によって、信号入力用電極７４と、電力供給用電極７６に分割されている。
【０１１４】
また、他の実施例として、電子ペーパー１２と同様の材質からなる電子ペーパー８０の隅部近傍に、略直線状の切り欠き８１と穴部を形成し、一部に切り欠き８３が形成されたリング電極８２を取付けて係合部としてもよい。リング電極８２は、絶縁体からなる仕切部材８６によって、信号入力用電極８４と、電力供給用電極８６に分割されている。
【０１１５】
次に、本発明のコネクタ、媒体とコネクタの接続構造、及び画像表示装置の第２実施形態を図面に基づき説明する。
【０１１６】
なお、前述した第１実施形態と基本的に同一の部品には、前記第１実施形態と同一の符号を付与してその説明を省略する。
【０１１７】
図５（ａ）には、画像表示装置９０が示されている。
【０１１８】
画像表示装置９０は、電子ペーパー１０２（図６（ｂ）参照）と、平板状の台座９２と、電子ペーパー１０２が接続されるコネクタ９４と、断面Ｌ字形状の支持壁９８と、ＰＣ１６（図１参照）とで構成されている。
【０１１９】
図５（ａ）及び図６（ａ）に示すように、台座９２は、机等の略水平面上に載置されるものである。
【０１２０】
コネクタ９４は、台座９２上に立設され、円形の断面を有する絶縁体からなる棒部材９６と、個別電極３４と、共通電極３６と、接地端子１０４とで構成されている。
【０１２１】
棒部材９６の先端は、略円錐台形状となっており、先端側に向かって先細り形状で断面積が小さくなっている。なお、棒部材９６の先端形状は、図５（ｂ）に示すように円錐状であってもよく、図５（ｃ）に示すように角錐状（ここでは六角錘）であってもよい。
【０１２２】
図５（ａ）に示すように、支持壁９８は、台座９２上でコネクタ９４と所定間隔をあけて立設されており、コネクタ９４に電子ペーパー１０２が接続されると、電子ペーパー１０２の端部が支持壁９８の側面に接触して揃えられるようになっている。
【０１２３】
また、図６（ｂ）に示すように、接地端子１０４は、銅等の導電性部材からなり、棒部材９６において個別電極３４及び共通電極３６と同一円周上に配置され、仕切部材３２で仕切られて個別電極３４及び共通電極３６と絶縁されている。
【０１２４】
穴部３８の穴壁の一部には、接地端子１０４に向けて穴部１０６が形成されている。ここで、穴部１０６に導線からなる接地線１０８が挿通され、接地線１０８の端部が接地端子１０４に接続されている。また、接地線１０８は、信号線２６に束ねられて、ＰＣ１６（図１参照）の接地端子（図示せず）に接続されている。
【０１２５】
一方、図６（ｂ）に示すように、電子ペーパー１０２の隅部近傍（左上側）には、貫通穴１０９を有する係合部としてのリング電極１１０が設けられている。なお、電子ペーパー１０２は、リング電極１１０を除く他の構成については、前述の電子ペーパー１２（図２参照）と同様のため、説明を省略する。
【０１２６】
貫通穴１０９は、コネクタ９４が挿通されたときに、貫通穴１０９の穴壁とコネクタ９４の側面（個別電極３４、共通電極３６）が接触する大きさの内径となっている。
【０１２７】
リング電極１１０は、円状で銅等の導電性部材で構成されている。また、リング電極１１０は、周方向において、絶縁性を有する仕切部材４５によって電力供給用電極４４、信号入力用電極４６、及び接地電極１１２に分割されている。
【０１２８】
なお、リング電極１１０は、貫通穴１０９の穴壁を除いて基材１３に覆われており、電子ペーパー１０２を集積したときに、上下に配置されるリング電極１１０同士が接触しないようになっている。
【０１２９】
次に、本発明の第２実施形態の作用について説明する。
【０１３０】
図７（ａ）に示すように、リング電極１１０の位置を一致させて各電子ペーパー１０２を集積する。続いて、信号入力用電極４６側に個別電極３４、電力供給用電極４４側に共通電極３６が向くように配置して、集積された電子ペーパー１０２を矢印Ｚ方向に移動させ、貫通穴１０９にコネクタ９４を挿通させる。
【０１３１】
これにより、図７（ｂ）に示すように、棒部材９６がリング電極１１０と係合し、信号入力用電極４６と個別電極３４が接触し、電力供給用電極４４と共通電極３６が接触する。また、同時に、接地端子１０４と接地電極１１２が接触する。
【０１３２】
このようにして、接地端子１０４が接地電極１１２と接触することにより、電子ペーパー１０２の静電気が除去される。また、電子ペーパー１０２に供給される電力の基準が接地レベルとなる。
【０１３３】
さらに、集積された電子ペーパー１０２の端部が、台座９２に立設された支持壁９８に接触して揃えられる。
【０１３４】
続いて、図１（ａ）及び図７（ｂ）に示すように、ＣＰＵ１８がコントローラ２４を動作させ、各電子ペーパー１０２の各タイミングコントローラ５０に、信号入力用電極４６及び個別電極３４を介してシリアルデータを送信する。シリアルデータの送信と同時に、ＰＣ１６の電源２２から電力供給用電極４４及び共通電極３６を介して各電子ペーパー１０２のレギュレータ４８に電圧（電力）が供給される。
【０１３５】
続いて、タイミングコントローラ５０は、シリアルデータをパラレルデータに変換して、Ｘドライバ５２及びＹドライバ５４に送る。レギュレータ４８は、送られてきた電圧を所定の電源電圧に変換する。
【０１３６】
続いて、Ｘドライバ５２及びＹドライバ５４によって表示部５６が作動し、電子ペーパー１０２に画像が表示される。
【０１３７】
次に、本発明のコネクタ、媒体とコネクタの接続構造、及び画像表示装置の第３実施形態を図面に基づき説明する。
【０１３８】
なお、前述した第１実施形態又は第２実施形態と基本的に同一の部品には、前記第１実施形態と同一の符号を付与してその説明を省略する。
【０１３９】
図８（ａ）には、画像表示装置１２０が示されている。
【０１４０】
画像表示装置１２０は、電子ペーパー１２２と、台座９２と、電子ペーパー１２２が接続されるコネクタ１２４と、支持壁９８と、ＰＣ１６（図１（ａ）参照）とで構成されている。
【０１４１】
図８（ａ）及び図８（ｂ）に示すように、コネクタ１２４は、台座９２上に立設され、略正方形の断面を有する絶縁体からなる棒部材１２６と、各電子ペーパー１２２に画像信号を出力する複数の個別端子部１２８と、各電子ペーパー１２２に電力を供給する共通端子部１３０とで構成されている。
【０１４２】
棒部材１２６の先端は、略四角錐台形状となっている。また、個別端子部１２８、共通端子部１３０、及び柱部材１２６は、仕切部材３２で絶縁されている。
【０１４３】
図８（ｂ）に示すように、個別端子部１２８は、発光ダイオードからなる発光素子１３４が内側に設けられた発光部１３２を有している。
【０１４４】
発光部１３２は、棒部材１２６に形成された穴部１３８に挿通された信号線１３６を介して、ＰＣ１６のコントローラ２４（図１（ａ）参照）に接続されている。ここで、コントローラ２４から発光部１３２に送られた電気信号からなる画像情報信号は、発光素子１３４によって光信号に変換され、出力されるようになっている。
【０１４５】
一方、共通端子部１３０は、複数回巻かれたコイル１４２が内側に設けられた電磁誘導部１４０を有している。コイル１４２の両端１４２ａ、１４２ｂは、穴部１３８を通って電源２２（図１（ａ）参照）に接続されている。ここで、電源２２は、電磁誘導部１４０に所定の電流を供給するように設けられており、コイル１４２に電流が供給されると、磁界が発生するようになっている。
【０１４６】
各個別端子部１２８の高さは、電子ペーパー１２２の厚さと略等しくなっている。これにより、複数の電子ペーパー１２２が集積され束ねられた状態でコネクタ１２４と係合したとき、個々の電子ペーパー１２２と各個別端子部１２８が１対１で接続されるようになっている。
【０１４７】
図８（ｃ）に示すように、電子ペーパー１２２は、透明のＰＥＴ（ポリエチレンテレフタレート）フィルムで構成され、厚さ（紙面奥行き方向の厚さ）が前述の個別端子部１２８の高さと略等しい基材１４４を有している。
【０１４８】
基材１４４の隅部近傍（左上側）には、棒部材１２６が挿通されるとともに係合される貫通穴１４６を有する係合端子部１４８が設けられている。
【０１４９】
なお、電子ペーパー１２２は、係合部としての係合端子部１４８の構成を除いて、前述の電子ペーパー１２（図２参照）の構成と同様であるので、他の構成についての説明を省略する。
【０１５０】
係合端子部１４８の一方には、光信号を受光して電気信号に変換する受光素子部１５０が設けられている。受光素子部１５０の内側には、フォトトランジスタ等からなる受光素子１４９が設けられている。なお、受光素子１４９の受光面は、貫通穴１４６の穴壁に露出されている。
【０１５１】
ここで、発光素子１３４と受光素子１４９が対向配置された状態で、発光素子１３４から光信号が出力されると、受光素子１４９は、この光信号を受光して電気信号に変換し、信号線１５１を介してタイミングコントローラ５０（図２（ａ）参照）に出力するようになっている。
【０１５２】
一方、係合端子部１４８における受光素子部１５０と対向する位置には、図示しない複数巻きのコイルを内包する電力発生部１５２が設けられている。電力発生部１５２の側面は、貫通穴１４６の穴壁に露出されている。
【０１５３】
ここで、電磁誘導部１４０と電力発生部１５２が対向配置された状態で、電磁誘導部１４０に通電されると磁界が発生する。電力発生部１５２では、内包されたコイルにおいて、電磁誘導部１４０で発生した磁界を打ち消す磁界を発生する方向に電流が流れ、電力供給線１５３を介して電子ペーパー１２２に電力供給するようになっている。
【０１５４】
次に、本発明の第３実施形態の作用について説明する。
【０１５５】
図８（ａ）に示すように、係合端子部１４８の位置を一致させて各電子ペーパー１２２を集積する。
【０１５６】
続いて、図８（ａ）、図９（ａ）、及び図９（ｂ）に示すように、個別端子部１２８に受光素子部１５０、共通端子部１３０に電力発生部１５２が向くように配置して、集積された電子ペーパー１２２を矢印Ｚ方向に移動させ、貫通穴１４６にコネクタ１２４を挿通させる。
【０１５７】
これにより、発光素子１３４と受光素子１４９とが対向配置され、共通端子部１３０のコイル１４２と電力発生部１５２に内包されたコイルとが対向配置される。
【０１５８】
続いて、図１（ａ）及び図９（ａ）に示すように、ＣＰＵ１８が、コントローラ２４を動作させ、発光部１３２に送られた電気信号からなる画像情報信号が、発光素子１３４によって光信号に変換され、出射される。
【０１５９】
発光素子１３４から出射された信号光は、受光素子部１５０の受光素子１４９で受光され、電気信号（シリアルデータ）に変換される。このシリアルデータは、各電子ペーパー１２２の各タイミングコントローラ５０に送られる。
【０１６０】
一方、図１（ａ）及び図９（ｂ）に示すように、ＣＰＵ１８が、コントローラ２４を動作させ、共通端子部１３０（電磁誘導部１４０）に設けられたコイル１４２に通電する。
【０１６１】
コイル１４２は、通電によって磁界を発生する。電力発生部１５２に設けられたコイル（図示せず）には、磁界を打ち消す磁界を発生する方向に電流が流れる（電磁誘導結合）。この電流は、電圧変換され、各電子ペーパー１２２のレギュレータ４８に供給される。
【０１６２】
続いて、タイミングコントローラ５０は、シリアルデータをパラレルデータに変換して、Ｘドライバ５２及びＹドライバ５４に送る。レギュレータ４８は、送られてきた電圧を所定の電源電圧に変換する。
【０１６３】
続いて、Ｘドライバ５２及びＹドライバ５４によって表示部５６が作動し、電子ペーパー１０２に画像が表示される。
【０１６４】
仮に、コネクタ１２４の共通端子部１３０と電子ペーパー１２２の電力発生部１５２が僅かにずれて非接触状態となっても、電磁誘導結合によって電子ペーパー１２２に電力が供給される。
【０１６５】
また、コネクタ１２４の個別端子部１２８と、電子ペーパー１２２の受光素子部１５０が僅かにずれて非接触状態となっても、信号が光信号のため、個別端子部１２８の発光部１３２から発光された光信号が空気中を伝播し、受光素子部１５０で受光される。
【０１６６】
次に、本発明のコネクタ、媒体とコネクタの接続構造、及び画像表示装置の第４実施形態を図面に基づき説明する。
【０１６７】
なお、前述した第１実施形態と基本的に同一の部品には、前記第１実施形態と同一の符号を付与してその説明を省略する。
【０１６８】
図１０（ａ）には、画像表示装置１６０が示されている。
【０１６９】
画像表示装置１６０は、電子ペーパー１６２（図１０（ｃ）参照）と、平板状の台座１６４と、電子ペーパー１６２が接続されるコネクタ１６６と、ＰＣ１６（図１参照）とで構成されている。台座１６４は、机等の略水平面上に載置される。
【０１７０】
図１０（ａ）及び図１０（ｂ）に示すように、コネクタ１６６は、台座１６４上に立設され、円形の断面を有する絶縁体からなる棒部材１６８と、個別電極３４と、共通電極３６とで構成されている。
【０１７１】
棒部材１６８の先端は、略円錐台形状となっており、先端側に向かって断面積が小さくなっている。
【０１７２】
また、棒部材１６８の断面中央には、棒部材１６８の長さ方向に沿って筒状の穴部１７０、１７２が形成されている。穴部１７０の一部には、各個別電極３４の背面側に向けてそれぞれ穴部１７４が形成されており、穴部１７２の一部には、共通電極３６の背面側に向けて穴部１７６が形成されている。ここで、穴部１７４に信号線２６が挿通され各個別電極３４に接続されている。また、穴部１７６に電源線２８が挿通され共通電極３６に接続されている。
【０１７３】
さらに、棒部材１６８の断面周縁部の一部には、断面凹形状で所定の深さの溝部１７８が形成されている。
【０１７４】
一方、図１０（ｃ）に示すように、電子ペーパー１６２は、透明のＰＥＴ（ポリエチレンテレフタレート）フィルムで構成され、厚さ（紙面奥行き方向の厚さ）が前述の個別端子３４の高さＨと略等しい基材１８０を有している。
【０１７５】
電子ペーパー１６２の隅部近傍（左上側）には、貫通穴１８２が形成されている。なお、電子ペーパー１６２は、貫通穴１８２周辺を除く他の構成については、前述の電子ペーパー１２（図２参照）と同様のため、説明を省略する。
【０１７６】
貫通穴１８２は、コネクタ１６６が挿通されたときに、貫通穴１８２の穴壁とコネクタ１６６の側面（個別電極３４、共通電極３６）が接触する大きさの内径となっている。
【０１７７】
また、貫通穴１８２の穴壁面の一部から貫通穴１８２の中心へ向けて、平板状の凸部１８４が突設されている。凸部１８４の幅及び突出量は、コネクタ１６６の溝部１７８（図１０（ｂ）参照）と係合可能な大きさとなっている。
【０１７８】
さらに、貫通穴１８２の縁部（穴壁）には、電力供給用電極４４、信号入力用電極４６が設けられており、仕切部材４５でそれぞれ絶縁されている。
【０１７９】
なお、電力供給用電極４４、信号入力用電極４６は、貫通穴１８２の穴壁を除いて基材１８０に覆われており、電子ペーパー１６２を集積したときに、上下に配置される電力供給用電極４４、信号入力用電極４６同士が接触しないようになっている。
【０１８０】
次に、本発明の第４実施形態の作用について説明する。
【０１８１】
図１１（ａ）に示すように、電力供給用電極４４、信号入力用電極４６の位置を一致させて各電子ペーパー１６２を集積する。続いて、平面視したときに電子ペーパー１６２の凸部１８４（図１０（ｃ）参照）がコネクタ１６６の溝部１７８に納まるように配置して、電子ペーパー１６２を矢印Ｚ方向に移動させる。そして、溝部１７８と凸部１８４を係合させながら、貫通穴１８２にコネクタ１６６を挿通する。
【０１８２】
これにより、図１１（ｂ）に示すように、凸部１８４が溝部１７８と係合し、信号入力用電極４６と個別電極３４が接触し、電力供給用電極４４と共通電極３６が接触する。
【０１８３】
凸部１８４と溝部１７８の係合により、集積された個々の電子ペーパー１６２の平面内の回転が抑えられる。
【０１８４】
続いて、図１（ａ）及び図１１（ｂ）に示すように、ＣＰＵ１８がコントローラ２４を動作させ、各電子ペーパー１６２の各タイミングコントローラ５０に、信号入力用電極４６及び個別電極３４を介してシリアルデータを送信する。シリアルデータの送信と同時に、ＰＣ１６の電源２２から電力供給用電極４４及び共通電極３６を介して各電子ペーパー１６２のレギュレータ４８に電圧（電力）が供給される。
【０１８５】
続いて、タイミングコントローラ５０は、シリアルデータをパラレルデータに変換して、Ｘドライバ５２及びＹドライバ５４に送る。レギュレータ４８は、送られてきた電圧を所定の電源電圧に変換する。
【０１８６】
続いて、Ｘドライバ５２及びＹドライバ５４によって表示部５６が作動し、電子ペーパー１６２に画像が表示される。
【０１８７】
なお、凸部１８４を棒部材１６８側に設け、溝部１７８を貫通穴１８２の穴壁側に設けてもよい。
【０１８８】
次に、本発明のコネクタ、媒体とコネクタの接続構造、及び画像表示装置の第５実施形態を図面に基づき説明する。
【０１８９】
なお、前述した第１実施形態と基本的に同一の部品には、前記第１実施形態と同一の符号を付与してその説明を省略する。
【０１９０】
図１２（ａ）には、画像表示装置１９０が示されている。
【０１９１】
画像表示装置１９０は、電子ペーパー１９２（図１２（ｃ）参照）と、平板状の台座１９４と、電子ペーパー１９２が接続されるコネクタ１９６と、ＰＣ１６（図１参照）とで構成されている。台座１９４は、机等の略水平面上に載置される。
【０１９２】
図１２（ａ）及び図１２（ｂ）に示すように、コネクタ１９６は、台座１９４上に立設され、円形の断面を有する絶縁体からなる棒部材１９８と、個別電極２００と、共通電極３６とで構成されている。
【０１９３】
個別電極２００は、前述の個別電極３４（図１（ｂ）参照）と同様の材質からなり、外周側面から外方向へ向けて凸部２０２が形成されている。
【０１９４】
棒部材１９８の先端は、略円錐台形状となっており、先端側に向かって断面積が小さくなっている。
【０１９５】
また、棒部材１９８の断面中央には、棒部材１９８の長さ方向に沿って筒状の穴部２０４、２０６が形成されている。穴部２０４の一部には、各個別電極２００の背面側に向けてそれぞれ穴部２０８が形成されており、穴部２０６の一部には、共通電極３６の背面側に向けて穴部２１０が形成されている。ここで、穴部２０８に信号線２６が挿通され各個別電極３４に接続されている。また、穴部２１０に電源線２８が挿通され共通電極３６に接続されている。
【０１９６】
一方、図１２（ｃ）に示すように、電子ペーパー１９２は、透明のＰＥＴ（ポリエチレンテレフタレート）フィルムで構成され、厚さ（紙面奥行き方向の厚さ）が前述の個別端子２００の高さＨと略等しい基材２１２を有している。
【０１９７】
電子ペーパー１９２の隅部近傍（左上側）には、貫通穴２１４が形成されている。なお、電子ペーパー１９２は、貫通穴２１４周辺を除く他の構成については、前述の電子ペーパー１２（図２参照）と同様のため、説明を省略する。
【０１９８】
貫通穴２１４は、コネクタ１９６が挿通されたときに、貫通穴２１４の穴壁とコネクタ１９６の側面（個別電極２００、共通電極３６）が接触する大きさの内径となっている。
【０１９９】
また、貫通穴２１４の縁部（穴壁）には、電力供給用電極４４、信号入力用電極２１６が設けられており、仕切部材４５でそれぞれ絶縁されている。
【０２００】
信号入力用電極２１６は、前述の信号入力用電極４６と同様の材質からなり、貫通穴２１４の穴壁面を構成する側面の一部に、個別電極２００の凸部２０２と係合可能な大きさの溝部２１８が形成されている。
【０２０１】
なお、電力供給用電極４４、信号入力用電極２１６は、貫通穴２１４の穴壁を除いて基材２１２に覆われており、電子ペーパー１９２を集積したときに、上下に配置される電力供給用電極４４、信号入力用電極２１６同士が接触しないようになっている。
【０２０２】
次に、本発明の第５実施形態の作用について説明する。
【０２０３】
図１３（ａ）に示すように、電力供給用電極４４、信号入力用電極２１６の位置を一致させて各電子ペーパー１９２を集積する。続いて、平面視したときに信号入力用電極２１６の溝部２１８に、コネクタ１９６の凸部２０２が納まるように配置して、電子ペーパー１９２を矢印Ｚ方向に移動させる。そして、溝部２１８と凸部２０２を係合させながら、貫通穴２１４にコネクタ１９６を挿通する。
【０２０４】
これにより、図１３（ｂ）に示すように、凸部２０２が溝部２１８と係合し、信号入力用電極２１６と個別電極２００が接触し、電力供給用電極４４と共通電極３６が接触する。
【０２０５】
また、凸部２０２と溝部２１８の係合により、集積された個々の電子ペーパー１９２の平面内の回転が抑えられる。
【０２０６】
続いて、図１（ａ）及び図１３（ｂ）に示すように、ＣＰＵ１８がコントローラ２４を動作させ、各電子ペーパー１９２の各タイミングコントローラ５０に、信号入力用電極２１６及び個別電極２００を介してシリアルデータを送信する。シリアルデータの送信と同時に、ＰＣ１６の電源２２から電力供給用電極４４及び共通電極３６を介して各電子ペーパー１９２のレギュレータ４８に電圧（電力）が供給される。
【０２０７】
続いて、タイミングコントローラ５０は、シリアルデータをパラレルデータに変換して、Ｘドライバ５２及びＹドライバ５４に送る。レギュレータ４８は、送られてきた電圧を所定の電源電圧に変換する。
【０２０８】
続いて、Ｘドライバ５２及びＹドライバ５４によって表示部５６が作動し、電子ペーパー１９２に画像が表示される。
【０２０９】
なお、他の実施例として、図１４（ａ）に示すように、電力供給用電極４４に溝部２２０を形成し、共通電極３６に凸部２２２を形成して、溝部２２０と凸部２２２を係合させてもよい。
【０２１０】
また、図１４（ｂ）に示すように、個別電極３４に溝部２２４を形成し、信号入力用電極４６に凸部２２６を形成して、溝部２２４と凸部２２６を係合させてもよい。
【０２１１】
さらに、図１４（ｂ）及び図１４（ｃ）に示すように、コネクタ２３０の個別電極３４に形成される溝部２２４は、連続した１本の溝ではなく、各個別電極３４に１カ所ずつ形成された溝であってもよい。各個別電極３４に溝部２２４を形成して、凸部２２６と係合させることにより、個別電極３４の高さＨと電子ペーパー１９２の厚さがＴが、Ｈ＞Ｔの状態であっても、各個別電極３４と各電子ペーパー１９２が１対１に対応する。
【０２１２】
また、他の実施例として、図１５（ａ）に示すように、電力供給用電極４４にも凸部２３２を形成し、共通電極３６に溝部２３４を形成して、凸部２３２と溝部２３４を係合させてもよい。
【０２１３】
さらに、電子ペーパー１９２の表面及び裏面において、電力供給用電極４４の端部と信号入力用電極４６の端部を、ゴム等の弾性部材２３６、２３８で連結してもよい。
【０２１４】
弾性部材２３６、２３８を用いた場合、図１５（ｂ）に示すように、コネクタに未接続の状態では、弾性部材２３６、２３８は最も短くなっており、電力供給用電極４４の凸部２３２の背面側に中空部２４２が形成され、信号入力用電極４６の凸部２２６の背面側に中空部２４０が形成される。
【０２１５】
続いて、図１５（ｃ）に示すように、棒部材１９８が挿通されると、電力供給用電極４４と信号入力用電極４６は外側へ向けて押し広げられる。そして、凸部２２６と溝部２２４、凸部２３２と溝部２３４が係合し、電子ペーパー１９２が位置決めされるとともに接続される。
【０２１６】
このように、電力供給用電極４４と信号入力用電極４６が移動することにより、電力供給用電極４４と信号入力用電極４６を電子ペーパー１９２に固定したときよりも、係合箇所に作用する負荷が小さくなる。
【０２１７】
なお、電力供給用電極４４と信号入力用電極４６を一つのリング状電極として、板バネで形成してもよい。
【０２１８】
次に、本発明のコネクタ、媒体とコネクタの接続構造、及び画像表示装置の第６実施形態を図面に基づき説明する。
【０２１９】
なお、前述した第１実施形態と基本的に同一の部品には、前記第１実施形態と同一の符号を付与してその説明を省略する。
【０２２０】
図１６（ａ）には、画像表示装置２５０が示されている。
【０２２１】
画像表示装置２５０は、電子ペーパー２５２（図１６（ｂ）参照）と、平板状の台座２５４と、電子ペーパー２５２が接続されるコネクタ２５６と、ＰＣ１６（図１参照）とで構成されている。台座２５４は、机等の略水平面上に載置される。
【０２２２】
コネクタ２５６は、台座２５４上に立設され、円形の断面を有する絶縁体からなる棒部材２５８と、個別電極３４と、共通電極３６とで構成されている。
【０２２３】
棒部材２５８の先端は、略円錐台形状となっており、先端側に向かって断面積が小さくなっている。また、個別電極３４及び共通電極３６の外周側面で同じ高さ位置には、それぞれ同じ幅、長さ、深さの溝部２６０、２６２が形成されている。
【０２２４】
個別電極３４に接続された信号線２６４と、共通電極３６に接続された電源線２６６は、１本のケーブル２６８に束ねられ、ＰＣ１６のコントローラ２４（図１参照）に信号線２６４が、電源２２に電源線２６６がそれぞれ接続されている。
【０２２５】
一方、図１６（ｂ）に示すように、電子ペーパー２５２は、透明のＰＥＴ（ポリエチレンテレフタレート）フィルムで構成され、厚さ（紙面奥行き方向の厚さ）が前述の個別端子３４の高さと略等しい基材２５４を有している。
【０２２６】
電子ペーパー２５２の隅部近傍（左上側）には、貫通穴２７０が形成されている。なお、電子ペーパー２５２は、貫通穴２７０周辺を除く他の構成については、前述の電子ペーパー１２（図２参照）と同様のため、説明を省略する。
【０２２７】
貫通穴２７０は、コネクタ２５６が挿通されたときに、貫通穴２７０の穴壁とコネクタ２５６の側面（個別電極３４、共通電極３６）が接触する大きさの内径となっている。
【０２２８】
また、貫通穴２７０の縁部（穴壁）には、電力供給用電極２７２及び信号入力用電極２７４が対向配置され、絶縁体からなる仕切部材２７６でそれぞれ絶縁されている。
【０２２９】
電力供給用電極２７２、信号入力用電極２７４は、それぞれ貫通穴２７０の中心へ向けて凸部２７３、２７５が形成されており、貫通穴２７０の周方向における電力供給用電極２７２及び信号入力用電極２７４の幅は、前述の電力供給用電極４４及び信号入力用電極４６（図２参照）の幅の略１／４〜１／５程度となっている。
【０２３０】
電力供給用電極２７２には、電源線２７８の一端が接続され、電源線２７８の他端は、前述のレギュレータ４８（図２参照）に接続されている。また、信号入力用電極２７４には、信号線２８０の一端が接続され、信号線２８０の他端は、前述のタイミングコントローラ５０（図２参照）に接続されている。
【０２３１】
なお、電力供給用電極２７２、信号入力用電極２７４は、貫通穴２７０の穴壁を除いて基材２５４に覆われており、電子ペーパー２５２を集積したときに、上下に配置される電力供給用電極２７２、信号入力用電極２７４同士が接触しないようになっている。
【０２３２】
次に、本発明の第６実施形態の作用について説明する。
【０２３３】
図１７（ａ）に示すように、集積された電子ペーパー２５２（上側２５２ａ、下側２５２ｂ）の貫通穴２７０にコネクタ２５６が挿通され、電力供給用電極２７２と溝部２６２が係合し、信号入力用電極２７４と溝部２６０が係合する。これにより、電力供給用電極２７２、信号入力用電極２７４は、それぞれ共通電極３６、個別電極３４と接触する。
【０２３４】
続いて、図１（ａ）及び図１７（ａ）に示すように、ＣＰＵ１８がコントローラ２４を動作させ、各電子ペーパー２５２の各タイミングコントローラ５０に、信号入力用電極２７４及び個別電極３４を介してシリアルデータを送信する。シリアルデータの送信と同時に、ＰＣ１６の電源２２から電力供給用電極２７２及び共通電極３６を介して各電子ペーパー２５２のレギュレータ４８に電圧（電力）が供給される。
【０２３５】
続いて、タイミングコントローラ５０は、シリアルデータをパラレルデータに変換して、Ｘドライバ５２及びＹドライバ５４に送る。レギュレータ４８は、送られてきた電圧を所定の電源電圧に変換する。
【０２３６】
続いて、Ｘドライバ５２及びＹドライバ５４によって表示部５６が作動し、電子ペーパー２５２に画像が表示される。
【０２３７】
下側に配置されている電子ペーパー２５２ｂの表示画像は、上側に電子ペーパー２５２ａが配置されているため、そのままの位置では見ることができない。
【０２３８】
ここで、図１７（ｂ）に示すように、棒部材２５８を中心として矢印Ｒ方向にペーパー２５２ａを回転させると、電力供給用電極２７２の凸部２７３は、溝部２６２に沿って共通電極３６との接触状態を保ったまま移動する。
【０２３９】
また、信号入力用電極２７４の凸部２７５は、溝部２６０に沿って個別電極３４との接触状態を保ったまま移動する。
【０２４０】
これにより、上側の電子ペーパー２５２ａをめくったり、取り外したりすることなく、下側の電子ペーパー２５２ｂの表示画像が見られる。
【０２４１】
なお、電力供給用電極２７２と信号入力用電極２７４のギャップを狭くすることによりＲの回転角を９０°に近づけることができる。これにより、下側の電子ペーパー２５２ｂの表示内容をほぼ見ることができる。また、貫通孔２７０を電子ペーパー２５２の隅にできるだけ近づけてもよい。
【０２４２】
なお、本発明は上記実施形態に限定されない。
【０２４３】
媒体として、コレステリック液晶（ＣｈＬＣ）を用いた表示媒体、電気泳動粒子を用いた表示媒体を用いてもよい。また、電子回路を搭載したリジット基板又はフレキシブル基板を媒体として用いてもよい。
【０２４４】
さらに、薄膜トランジスタ（Thin Film Transistor、ＴＦＴ）を用いて表示を行うようにしてもよい。ＴＦＴを用いる場合、ＴＦＴパネルを表示媒体の裏面に配置して、ＴＦＴパネル上の下部電極と、表示媒体上の上部電極に所定の電圧を印加して表示を行う。なお、ＸドライバはＴＦＴのソースドライバ、ＹドライバはＴＦＴのゲートドライバに相当する。
【０２４５】
また、メモリ性を有する表示材料を全面電極と複数の画素電極で挟んで画像表示記録領域を形成するとともに、ＴＦＴ駆動素子等を用いてアクティブ駆動する構成や、複数の表示エリアに分割されたセグメント電極で駆動する構成を有する自己書込み型の電子ペーパーを媒体としてもよい。
【図面の簡単な説明】
【０２４６】
【図１】（ａ）本発明の第１実施形態に係る画像表示装置の構成図である。（ｂ）本発明の第１実施形態に係るコネクタの断面図である。
【図２】（ａ）本発明の第１実施形態に係る電子ペーパーの構成図である。（ｂ）本発明の第１実施形態に係る電子ペーパーの部分拡大図である。
【図３】（ａ）本発明の第１実施形態に係るコネクタの挿入状態を示す模式図である。（ｂ）本発明の第１実施形態に係るコネクタと電子ペーパーの接続状態を示す断面図である。
【図４】（ａ）本発明の第１実施形態に係るコネクタの他の実施例を示す外観図である。（ｂ）本発明の第１実施形態に係る電子ペーパーの他の実施例を示す断面図である。
【図５】（ａ）本発明の第２実施形態に係るコネクタの構成図である。（ｂ）、（ｃ）本発明の第２実施形態に係るコネクタの他の実施例を示す部分図である。
【図６】（ａ）本発明の第２実施形態に係るコネクタの断面図である。（ｂ）本発明の第２実施形態に係る電子ペーパーの部分拡大図である。
【図７】（ａ）本発明の第２実施形態に係るコネクタに電子ペーパーを挿入するときの状態を示す説明図である。（ｂ）本発明の第２実施形態に係るコネクタと電子ペーパーの接続状態を示す断面図である。
【図８】（ａ）本発明の第３実施形態に係る画像表示装置の構成図である。（ｂ）本発明の第３実施形態に係るコネクタの断面図である。（ｃ）本発明の第３実施形態に係る電子ペーパーの部分拡大図である。
【図９】（ａ）本発明の第３実施形態に係るコネクタから出射された光信号の受光状態を示す模式図である。（ｂ）本発明の第３実施形態に係るコネクタから電磁誘導結合によって電力が供給される状態を示す模式図である。
【図１０】（ａ）本発明の第４実施形態に係る画像表示装置の構成図である。（ｂ）本発明の第４実施形態に係るコネクタの断面図である。（ｃ）本発明の第４実施形態に係る電子ペーパーの部分拡大図である。
【図１１】（ａ）本発明の第４実施形態に係るコネクタの電子ペーパーへの挿入状態を示す模式図である。（ｂ）本発明の第４実施形態に係るコネクタと電子ペーパーの接続状態を示す断面図である。
【図１２】（ａ）本発明の第５実施形態に係る画像表示装置の構成図である。（ｂ）本発明の第５実施形態に係るコネクタの断面図である。（ｃ）本発明の第５実施形態に係る電子ペーパーの部分拡大図である。
【図１３】（ａ）本発明の第５実施形態に係るコネクタの電子ペーパーへの挿入状態を示す模式図である。（ｂ）本発明の第５実施形態に係るコネクタと電子ペーパーの接続状態を示す断面図である。
【図１４】（ａ）、（ｂ）本発明の第５実施形態に係るコネクタと電子ペーパーの他の実施例を示す断面図である。（ｃ）本発明の第５実施形態に係るコネクタの他の実施例を示す外観図である。
【図１５】（ａ）、（ｂ）、（ｃ）本発明の第５実施形態に係る電子ペーパーの他の実施例を示す断面図である。
【図１６】（ａ）本発明の第６実施形態に係る画像表示装置の構成図である。（ｂ）本発明の第６実施形態に係る電子ペーパーの断面図である。
【図１７】（ａ）本発明の第６実施形態に係るコネクタと電子ペーパーの接続状態を示す断面図である。（ｂ）本発明の第６実施形態に係る電子ペーパーを回転させた状態を示す説明図である。
【符号の説明】
【０２４７】
１０  画像表示装置（画像表示装置）
１２  電子ペーパー（表示媒体、媒体）
１４  コネクタ（コネクタ）
２４  コントローラ（信号出力部）
３０  棒部材（棒部材）
３４  個別電極（個別端子）
３６  共通電極（共通端子）
４２  貫通穴（穴部）
４３  リング電極（係合部）
４４  電力供給用電極（電力供給部）
４６  信号入力用電極（信号受部）
５６  表示部（表示部）
９０  画像表示装置（画像表示装置）
９２  台座（台座）
９４  コネクタ（コネクタ）
９６  棒部材（棒部材）
９８  支持壁（支持壁）
１０２  電子ペーパー（表示媒体、媒体）
１０４  接地端子（接地端子）
１０９  貫通穴（穴部）
１１０  リング電極（係合部）
１１２  接地電極（接地部）
１２０  画像表示装置（画像表示装置）
１２２  電子ペーパー（表示媒体、媒体）
１２４  コネクタ（コネクタ）
１２６  棒部材（棒部材）
１３２  発光部（発光部）
１４６  貫通穴（穴部）
１４８  係合端子部（係合部）
１５０  受光素子部（受光部）  
１６０  画像表示装置（画像表示装置）
１６２  電子ペーパー（表示媒体、媒体）
１６４  台座（台座）
１６６  コネクタ（コネクタ）
１６８  棒部材（棒部材）
１７８  溝部（凹部、溝）
１８２  貫通穴（穴部）
１８４  凸部（凸部）
１９０  画像表示装置（画像表示装置）
１９２  電子ペーパー（表示媒体、媒体）
１９４  台座（台座）
１９６  コネクタ（コネクタ）
１９８  棒部材（棒部材）
２０２  凸部（被係合部）
２１４  貫通穴（穴部）
２２２  凸部（被係合部）
２２４  溝部（被係合部、溝部）
２３０  コネクタ（コネクタ）
２３４  溝部（被係合部）
２５０  画像表示装置（画像表示装置）
２５２  電子ペーパー（表示媒体、媒体）
２５４  台座（台座）
２５６  コネクタ（コネクタ）
２５８  棒部材（棒部材）
２６０  溝部（円弧状溝）
２６２  溝部（円弧状溝）
２７０  貫通穴（穴部）
【図１】
2009070619.tif 000003
【図２】
2009070619.tif 000004
【図３】
2009070619.tif 000005
【図４】
2009070619.tif 000006
【図５】
2009070619.tif 000007
【図６】
2009070619.tif 000008
【図７】
2009070619.tif 000009
【図８】
2009070619.tif 000010
【図９】
2009070619.tif 000011
【図１０】
2009070619.tif 000012
【図１１】
2009070619.tif 000013
【図１２】
2009070619.tif 000014
【図１３】
2009070619.tif 000015
【図１４】
2009070619.tif 000016
【図１５】
2009070619.tif 000017
【図１６】
2009070619.tif 000018
【図１７】
2009070619.tif 000019